(57)【要約】【課題】本発明の課題は、複数の櫛歯を備えたマスカラ塗布具において、各櫛歯間にマスカラ液を多量に溜めることができる液だめスペースを確保して、マスカラのまつ毛への塗布効果を向上させ、ファーストタッチのツキをアップさせ、ボリューム感のあるまつ毛を演出できるマスカラ塗布具に関し、櫛歯間のピッチを変えることなく、多量のマスカラ液を溜めることができる塗布具を開発して、すべての問題を解決できるマスカラ塗布具を提供することである。【解決手段】塗布具基部に複数の櫛歯を備えてなるマスカラ塗布具であって、櫛歯の高さ寸法が高い高櫛歯と、櫛歯の高さ寸法が低い低櫛歯が、交互に並ぶように列設することにより、各低櫛歯の先端部に液だめスペースを確保したことを特徴とする。【選択図】図３
2010227298.tif 000002
【特許請求の範囲】
【請求項１】
塗布具基部に複数の櫛歯を備えてなるマスカラ塗布具であって、櫛歯の高さ寸法が高い高櫛歯と、櫛歯の高さ寸法が低い低櫛歯が、交互に並ぶように列設することにより、各低櫛歯の先端部に液だめスペースを確保したことを特徴とするマスカラ塗布具。
【請求項２】
各櫛歯の縦断面形状が、根元側から先端側に向かって先鋭状を呈する形状であることを特徴とする請求項１記載のマスカラ塗布具。
【請求項３】
前記高櫛歯の高さ寸法に対する前記低櫛歯の高さ寸法の寸法比が、８０〜９５％であることを特徴とする請求項１又は２記載のマスカラ塗布具。
【発明の詳細な説明】
【技術分野】
【０００１】
本発明はマスカラ塗布具に係り、さらに詳しくは、複数の櫛歯を備えたマスカラ塗布具において、各櫛歯間にマスカラ液を多量に溜めることができる液だめスペースを確保して、マスカラのまつ毛への塗布効果を向上させ、ファーストタッチのツキをアップさせ、ボリューム感のあるまつ毛を演出できるマスカラ塗布具に関する。
【背景技術】
【０００２】
従来より、マスカラをまつ毛に塗布するために、各種のマスカラ塗布具が提案されてきた。
【０００３】
そのマスカラ塗布具の代表的なものは、毛を束ねたブラシからなるブラシ型塗布具と櫛歯を備えた櫛型塗布具とがあった。
その代表的なものとしては、下記のような公報が存在する。
【特許文献１】特許第３６５７５３４号公報
【特許文献２】実公平０３−１０８８１号公報
【発明の開示】
【発明が解決しようとする課題】
【０００４】
最近のマスカラの利用者には、まつ毛のセパレート効果が強く求められており、よりセパレート効果を付与する櫛型塗布具が好まれる。しかしながら櫛型塗布具には、まつ毛を太く長く見せるためのボリューム効果に劣る傾向があり、セパレート効果を維持しつつ、ボリューム感を付与できるマスカラ塗布具が求められていた。通常、この要望に応えるためには、一度に多量のマスカラ液を塗布したり、あるいは何度もマスカラ塗布作業を繰り返してまつ毛の一本一本に多量のマスカラ液を塗布する必要があった。
まつ毛の一本一本に多量のマスカラ液を塗布するためには、マスカラ塗布具に多量のマスカラ液が溜められることが好都合であったため、そのような要望に応えるものが提案されてきたが、いまだ満足のいくマスカラ塗布具が存在しないという実情があった。
例えば、マスカラ液を溜めるために、塗布具の櫛歯のピッチを広くして櫛歯間にマスカラ液の溜めスペースを確保することも考えられるが、このようにした場合には、櫛歯のピッチが広がることより櫛歯の間に入り込むまつ毛の数が多くなり、一本一本のセパレート性が損なわれるという問題があった。
【０００５】
そのため本発明は、櫛歯間のピッチを変えることなく、多量のマスカラ液を溜めることができる塗布具を開発して、上記のすべての問題を解決できるマスカラ塗布具を提供せんとするものである。
【課題を解決するための手段】
【０００６】
本発明に係るマスカラ塗布具の請求項１のものは、塗布具基部に複数の櫛歯を備えてなるマスカラ塗布具であって、櫛歯の高さ寸法が高い高櫛歯と、櫛歯の高さ寸法が低い低櫛歯が、交互に並ぶように列設することにより、各低櫛歯の先端部に液だめスペースを確保したことを特徴とするマスカラ塗布具である。
【０００７】
また請求項２は、各櫛歯の縦断面形状が、根元側から先端側に向かって先鋭状を呈する形状であることを特徴とする請求項１記載のマスカラ塗布具である。
【０００８】
さらに請求項３は、前記高櫛歯の高さ寸法に対する前記低櫛歯の高さ寸法の寸法比が、８０〜９５％であることを特徴とする請求項１又は２記載のマスカラ塗布具である。
【発明の効果】
【０００９】
本発明に係るマスカラ塗布具は、従来の櫛歯間のピッチを変えることなく櫛歯を備えているから、従来からの各櫛歯間の液だめ部はそのまま確保できる上に、さらに加えて低櫛歯の先端位置に新たな液だめスペースを追加的に確保できるようになり、多量のマスカラ液を溜めることができるという効果を発揮する。
さらにマスカラ塗布具の櫛歯間のピッチは従来のものと同様であるため、まつ毛一本一本のセパレート性はまったく損なわれない。
【００１０】
また請求項２及び３のマスカラ塗布具は、各櫛歯の先端形状を先鋭状化させたことにより、まつ毛一本一本のセパレート性、さばき性をさらに向上させ、加えて、櫛歯先端の液だめスペースに含まれた多量のマスカラ液を効率的にまつ毛全体に塗布することができるという優れた効果を発揮する。
【発明を実施するための最良の形態】
【００１１】
以下、図面を参照して本発明のマスカラ塗布具の実施の形態を説明するが、本発明はこれらの実施の形態に制限されるものではない。
図１は本発明のマスカラ塗布具の正面図であり、図２は塗布具基部の拡大正面図であり、図３（Ａ）は前図におけるＡ−Ａ線断面図、同（Ｂ）は前図におけるＢ−Ｂ線断面図である。
【００１２】
図１乃至図３に示す本発明に係るマスカラ塗布具１は、柄部２の先に塗布具基部３が取り付けられ、この塗布具基部３には複数の櫛歯４が備えられており、この櫛歯４は、櫛歯の高さ寸法Ｌ１が高い高櫛歯４ａと、櫛歯の高さ寸法Ｌ２が低い低櫛歯４ｂの組み合わせで形成されている。
符号Ｌ３は、高櫛歯４ａと低櫛歯４ｂのそれぞれの櫛歯の根元部の幅寸法を示し、その幅寸法Ｌ３は、実質的に差のない状態となっている。
【００１３】
この高櫛歯４ａと、低櫛歯４ｂの組み合わせは、櫛歯４の整列する方向に交互に並ぶように列設され（図２参照）、複数の高櫛歯４ａと、複数の低櫛歯４ｂが繰り返す状態で交互に並ぶ状態となっている。
このため、高櫛歯４ａと、低櫛歯４ｂの高さ寸法Ｌ１，Ｌ２には差異があるため、高さ寸法Ｌ１，Ｌ２の間に段差が生まれ、その結果低櫛歯４ｂの先端部５付近に液だめスペースが確保されることになる。
この液だめスペースが、マスカラ液の溜められる箇所となり、最終的に本発明マスカラ塗布具１に多量のマスカラ液が溜められることとなる。
【００１４】
実施例１
下記の寸法条件の各マスカラ塗布具を用意して、ツキ量、さばき性をテストした。その結果を表１に示す。
高櫛歯４ａの高さ寸法Ｌ１を２．０ｍｍの１種を用意した。
低櫛歯４ｂの高さ寸法Ｌ２を１．４ｍｍ、１．６ｍｍ、１．８ｍｍ、２．０ｍｍの４種を用意した。
高櫛歯４ａと低櫛歯４ｂのそれぞれの櫛歯の根元部の幅寸法Ｌ３を３．０ｍｍに統一した。
各評価の記号は、◎→非常に優れている  ○→優れている  ○△→普通
△→やや劣る
を意味している。
【００１５】
【表１】
2010227298.tif 000003
【００１６】
上記の結果、ツキ量とさばき性の観点で、特に優れる総合評価となったものは、低櫛歯４ｂの高さ寸法Ｌ２を１．８ｍｍ、すなわち高櫛歯４ａの高さ寸法Ｌ１に対する低櫛歯４ｂの高さ寸法Ｌ２の寸法比を９０％とした場合であり、先端に液だめスペースを持たない低櫛歯４ｂの高さ寸法Ｌ２を２．０ｍｍ、すなわち高櫛歯４ａの高さ寸法Ｌ１に対する低櫛歯４ｂの高さ寸法Ｌ２の寸法比を１００％とした場合と比較して、ボリュームアップ効果とセパレート効果の両効果をバランスよく発揮するものであった。
次に総合効果として優れたものは、低櫛歯４ｂの高さ寸法Ｌ２を１．６ｍｍ、すなわち高櫛歯４ａの高さ寸法Ｌ１に対する低櫛歯４ｂの高さ寸法Ｌ２の寸法比を８０％とした場合であり、さばき性は普通であるものの、両効果をバランスよく十分に発揮するものであった。
また、低櫛歯４ｂの高さ寸法Ｌ２を１．４ｍｍ、すなわち高櫛歯４ａの高さ寸法Ｌ１に対する低櫛歯４ｂの高さ寸法Ｌ２の寸法比を７０％とした場合には、さばき性がやや劣るという問題があった。
【００１７】
上記の結果、前記高櫛歯４ａの高さ寸法Ｌ１に対する低櫛歯４ｂの高さ寸法Ｌ２の寸法比が、８０〜９５％である場合には、マスカラ塗布具としてのボリュームアップ効果とセパレート効果を十分に発揮して両効果の両立が図られることが実証された。この寸法比が８０％を下回ると、さばき性の観点で問題が発生し、一方９５％を上回るとボリュームアップ効果が不十分になってしまう。
さらに前記高櫛歯４ａの高さ寸法Ｌ１は、特に２．０ｍｍが好ましく、前記低櫛歯４ｂの高さ寸法Ｌ２は、１．６ｍｍ〜１．９ｍｍが好ましい。
また高櫛歯４ａと低櫛歯４ｂのそれぞれの櫛歯の根元部の幅寸法Ｌ３は、使い易さを考慮すると、１．５ｍｍ〜３．０ｍｍが好ましい。
【００１８】
本発明のマスカラ塗布具の材質は、通常のマスカラコームに使用される材質であればよく、特にポリアミドやポリエステルを素材として射出成型により製造することができる。
【産業上の利用可能性】
【００１９】
本発明によれば、マスカラ化粧料とマスカラ塗布具を取り扱う分野で利用可能である。
【図面の簡単な説明】
【００２０】
【図１】本発明のマスカラ塗布具の正面図である。
【図２】塗布具基部の拡大正面図である。
【図３】（Ａ）は前図におけるＡ−Ａ線断面図、同（Ｂ）は前図におけるＢ−Ｂ線断面図である。
【符号の説明】
【００２１】
１  マスカラ塗布具
２  柄部
３  塗布具基部
４  櫛歯
４ａ  高櫛歯
４ｂ  低櫛歯
５  低櫛歯４ｂの先端部
Ｌ１  高櫛歯４ａの高さ寸法
Ｌ２  低櫛歯４ｂの高さ寸法
Ｌ３  高櫛歯４ａと低櫛歯４ｂのそれぞれの櫛歯の根元部の幅寸法
【図１】
2010227298.tif 000004
【図２】
2010227298.tif 000005
【図３】
2010227298.tif 000006